(57)【要約】【課題】装置全体の薄型化を図りつつ、ハーネス部の電線部の劣化や損傷を抑制し得る浴室用リモコンを提供する。【解決手段】浴室用リモコン１は、基板３と、ケース５と、シール部材８と、ハーネス部９とを備える。ケース５は、基板３の背面と対向する背面部４０を有するとともに、背面部４０において前後に貫通した第１開口部４２Ｅが形成されてなる。シール部材８は、第１開口部４２Ｅに嵌め込まれ、ケース５の外側から内側に通じる孔部６４を有する。ハーネス部９は、孔部６４に挿し通される１以上の電線部７０を有し、一端側が基板３に電気的に接続される。基板３には、前後に貫通した第２開口部１０が形成される。シール部材８の前側に第２開口部１０の開口領域が位置し、電線部７０の一部が孔部６４から第２開口部１０内に入り込むように配置される。【選択図】図５
2020092345.tif 000002
【特許請求の範囲】
【請求項１】
浴室に設置される浴室用リモコンであって、
電子部品が実装される基板と、
前記基板の背面と対向する背面部を有するとともに、前記背面部において前後に貫通した第１開口部が形成されてなるケースと、
前記第１開口部に嵌め込まれ、前記ケースの外側から内側に通じる孔部を有するシール部材と、
前記孔部に挿し通される１以上の電線部を有し、一端側が前記基板に電気的に接続されるハーネス部と、
を備え、
前記基板には、前後に貫通した第２開口部が形成され、
前記シール部材の前側に前記第２開口部の開口領域が位置し、前記電線部の一部が前記孔部から前記第２開口部内に入り込むように配置される
浴室用リモコン。
【請求項２】
前記基板の前面に、前記ハーネス部が接続される接続部が設けられており、
前記ハーネス部は、前記電線部の一端側に設けられるとともに前記接続部に接続される被接続部を有する
請求項１に記載の浴室用リモコン。
【請求項３】
前記電線部は、前記被接続部から下方に延びるとともに前記基板の下側で折り返され、前記基板と前記背面部との間において前記基板の下側から前記第２開口部側に延びつつ一部が前記第２開口部に入り込むように配置される
請求項２に記載の浴室用リモコン。
【請求項４】
前記接続部は、前記基板の前面において前記第２開口部の下方側に設けられ、
前記孔部の下方側且つ前記接続部の上方側において前記接続部の上方を覆うように配置される庇部を備える
請求項２又は請求項３に記載の浴室用リモコン。
【発明の詳細な説明】
【技術分野】
【０００１】
本発明は、浴室用リモコンに関するものである。
【背景技術】
【０００２】
特許文献１には、浴室に設置される浴室用リモコン（風呂リモコン１）が開示されている。この浴室用リモコンは、基板（プリント基板７）と、基板を収容するケース（背面ケース２及び前面ケース３）とを備えており、ケースの背面部には、前後に貫通した開口部（配線用穴４）が形成されている。この開口部を介して、ケースの外部からハーネス部が挿入され、基板に設けられた接続部にハーネス部の先端部が接続される。
【先行技術文献】
【特許文献】
【０００３】
【特許文献１】特開２００７−３１５６７１号公報
【発明の概要】
【発明が解決しようとする課題】
【０００４】
このような浴室用リモコンでは、一般的に、ハーネス部が挿入される開口部を介してケース内に水が浸入しないように、開口部にシール部材が嵌め込まれ、そのシール部材に形成した孔部を通じてハーネス部がケース内に水密状態で挿入される。しかし、この構成では、装置全体の薄型化を図るべく、基板とケースの背面部との間隔を小さくしようとすると、シール部材の孔部を通じてケース内に入り込んだハーネス部の電線部が基板と背面部との間に挟まれたり、電線部の負荷が大きくなりすぎたりして、電線部が劣化又は損傷するおそれがある。
【０００５】
本発明は上述した課題の少なくとも一つを解決するためになされたものであり、装置全体の薄型化を図りつつ、ハーネス部の電線部の劣化や損傷を抑制し得る浴室用リモコンを提供することを目的とする。
【課題を解決するための手段】
【０００６】
本発明の一態様の浴室用リモコンは、
浴室に設置される浴室用リモコンであって、
電子部品が実装される基板と、
前記基板の背面と対向する背面部を有するとともに、前記背面部において前後に貫通した第１開口部が形成されてなるケースと、
前記第１開口部に嵌め込まれ、前記ケースの外側から内側に通じる孔部を有するシール部材と、
前記孔部に挿し通される１以上の電線部を有し、一端側が前記基板に電気的に接続されるハーネス部と、
を備え、
前記基板には、前後に貫通した第２開口部が形成され、
前記シール部材の前側に前記第２開口部の開口領域が位置し、前記電線部の一部が前記孔部から前記第２開口部内に入り込むように配置される。
【発明の効果】
【０００７】
上記一態様の浴室用リモコンは、前後に貫通した第１開口部がケースの背面部に形成されており、第１開口部にシール部材が嵌め込まれる。シール部材は、ケースの外側から内側に通じるように貫通する孔部を有しており、この孔部にハーネス部の電線部が挿し通される。このように構成することで、ケースの内外に跨るようにハーネス部を配置し得る構成を、防水性を高めつつ実現できる。
更に、基板には、前後に貫通した第２開口部が形成されており、シール部材の前側に第２開口部の開口領域が位置し、電線部の一部が孔部から第２開口部に入り込むように配置される。このようにシール部材の前側に開口領域が存在すれば、電線部において孔部から前方に延びる部位（孔部近傍の部位）の一部又は全部を基板と背面部との間に挟み込ませることなく配置することができる。従って、この部位の一部又は全部を基板と干渉させずに配置することができ、その分、基板と背面部とを近づけて配置することができる。ゆえに、装置全体の薄型化を図りやすくなる。しかも、上記部位（電線部において孔部から前方に延びる部位）の一部又は全部が基板と背面部との間に挟まれにくくなるため、当該部位の劣化や損傷を抑制することができる。
【図面の簡単な説明】
【０００８】
【図１】図１は、実施例１の浴室用リモコンを前方から見た分解斜視図である。
【図２】図２は、実施例１の浴室用リモコンを後方から見た分解斜視図である。
【図３】図３は、第１ケース部材の裏側に基板を嵌め込んだ状態を示す背面図である。
【図４】図４は、実施例１の浴室用リモコンの背面図である。
【図５】図５は、実施例１の浴室リモコンを図４に示すＡ−Ａ線で切断した切断面を示す断面図である。
【発明を実施するための形態】
【０００９】
ここで、本発明の望ましい一例を示す。
本発明の一態様の浴室用リモコンは、基板の前面に、ハーネス部が接続される接続部が設けられていてもよい。ハーネス部は、前記電線部の一端側に設けられるとともに前記接続部に接続される被接続部を有していてもよい。
このように、基板上で嵩張る懸念のある接続部及び被接続部を基板の前面側に配置した上で、第２開口部及びこれに関連した上記特徴を採用すれば、基板と背面部とをより一層近づけて配置することができ、装置全体の薄型化をより一層図りやすくなる。
【００１０】
本発明の一態様の浴室用リモコンにおいて、電線部は、被接続部から下方に延びるとともに基板の下側で折り返され、基板と背面部との間において基板の下側から第２開口部側に延びつつ一部が第２開口部に入り込むように配置されていてもよい。
この構成では、仮にシール部材と電線部との間に存在する微小な隙間を介してケース内に水が浸入したとしても、その水は、基板の裏面側（基板と背面部との間）を通るように電線部を伝って流れやすく、その後、電線部が折り返された部分（基板の下側）の付近から落下しやすくなる。つまり、孔部付近から電線部を伝って流れようとする水が基板の前面側に流れ込みにくくなるため、この水が基板の前面に実装される部品に大きな影響を及ぼすことを防ぐことができる。
【００１１】
本発明の一態様の浴室用リモコンにおいて、接続部は、基板の前面において第２開口部の下方側に設けられていてもよい。そして、孔部の下方側且つ接続部の上方側において接続部の上方を覆うように配置される庇部を備えるようにしてもよい。
この構成によれば、万が一、何らかの理由によって庇部の上方側（例えば孔部付近）から接続部側へと水が流下又は落下したとしても、その水が接続部にかかることを庇部によって防ぐことができる。
【００１２】
＜実施例１＞
以下、実施例１について、図面を参照して説明する。
実施例１の浴室用リモコン１は、浴室に設置されるリモコンであり、例えば給湯器等を遠隔操作するために用いられる。この浴室用リモコン１は、図１に示すように、基板３と、ケース５と、枠部材７と、シール部材８と、ハーネス部９とを備える。
【００１３】
なお、以下では、基板３の厚さ方向を前後方向とし、浴室用リモコン１が浴室に設置されたときに上下方向（鉛直方向）となる方向を上下方向とし、浴室用リモコン１が浴室に設置されたときに前方から見て左右方向（鉛直方向と直交する平面方向（水平方向）において前後方向と直交する方向）となる方向を左右方向として説明する。また、浴室用リモコン１が設置される設置面側を後方側とし、その反対側を前方側として説明する。具体的には、浴室用リモコン１を正面視したとき（前方から見たとき）の長手方向が左右方向であり、短手方向が上下方向となる例を挙げて説明する。
【００１４】
基板３は、例えば公知のプリント基板として構成されており、左右方向に長い板状に形成されている。基板３は、基板３の板面のうち厚さ方向一方側の面が前面であり、厚さ方向他方側の面が背面となっている。基板３の前後両面のうち、少なくとも前面には電子部品（例えばマイクロコントローラ、スイッチング素子、発光素子など）が実装されている。なお、基板３の背面においては、前面よりも実装される電子部品の数が少ないことが好ましく、全く実装されていないことがより好ましい。また、以下では、基板３の背面を裏面又は後面ともいう。
【００１５】
基板３の板面方向の略中央には、前後に貫通した第２開口部１０が形成されている。第２開口部１０は、上下方向に長い矩形状をなしている。基板３には、前後に貫通した第１挿通孔部１２が少なくとも１つ（図１等に示す例では２つ）形成されている。第１挿通孔部１２は、第２開口部１０を挟んだ左右両側に１つずつ形成されており、各々が基板３において上下方向の略中央に形成されている。基板３には、前後に貫通した第２挿通孔部１４が少なくとも１つ（図１等に示す例では２つ）形成されている。第２挿通孔部１４は、第２開口部１０を挟んで左右両側に１つずつ形成されており、一方（図１等に示す例では左側）の第２挿通孔部１４は基板３の上端部寄りに配置され、他方（図１等に示す例では右側）の第２挿通孔部１４は基板３の下端部寄りに配置されている。
【００１６】
基板３は、接続部１５を備えている。接続部１５は、後述するハーネス部９の被接続部７２が接続される部位である。接続部１５は、複数の端子を備えたコネクタとして構成されており、それらの端子が基板３の表面又は内部に設けられた配線（図示は省略）に電気的に接続されている。接続部１５の複数の端子は、接続部１５と被接続部７２とが接続されたときに被接続部７２に設けられた複数の端子の各々と接触して電気的に接続される。接続部１５は、基板３がケース５内に収容されたときに基板３の前面において孔部６４よりも下方側の位置に配置される。接続部１５は、第２開口部１０よりも下方側（正面視において真下）に配置されている。接続部１５の下面部には下方に向かって開放した接続口が形成されており、接続部１５に対して下側から被接続部７２を挿し込むように連結することが可能とされている。
【００１７】
基板３の下端部には、前後方向及び下方に向かって開放した凹部１６が形成されている。凹部１６は、基板３の下端部から上端部側に向かって凹み、前後方向に貫通した切欠き形状をなしている。凹部１６は、第２開口部１０及び接続部１５の下方側（図１等に示す例では真下）に配置されている。凹部１６の幅寸法（左右方向の開口寸法）は、後述するハーネス部９の電線部７０の径寸法よりも大きく、凹部１６には、電線部７０を挿し通すことが可能となっている。基板３の周縁部には切欠部１８が形成されている。基板３は、自身がケース５内に収容されたときに、切欠部１８の切り欠かれた部分に後述のスピーカ固定部３６が納まるように配置されることで、スピーカ固定部３６と干渉しないようになっている。
【００１８】
ケース５は、基板３を収容する部材であり、例えば樹脂材料で形成されている。ケース５は、基板３の全体を覆う箱状をなしており、正面視において左右方向に長い矩形状をなしている。このケース５は、第１ケース部材５Ａと、第２ケース部材５Ｂとを備える。第１ケース部材５Ａは、図１〜図３，図５に示すように、ケース５の前側部分を構成する部材であり、前面部２０と、周壁部２２と、係止部２４と、外側規制部２６と、少なくとも１つの第１前方側規制部２８と、少なくとも１つの第２前方側規制部３０と、内側規制部３２と、第１被取付部３４と、スピーカ固定部３６と、庇部３８とを備える。
【００１９】
前面部２０は、板状をなしており、正面視において左右方向に長い矩形状をなしている。前面部２０には、少なくとも１つの操作部２０Ａと、表示部２０Ｂと、第２孔部２０Ｃとが形成されている。操作部２０Ａは、前後方向に弾性変形可能となっており、ユーザの操作を受けて弾性変形することで、操作部２０Ａの背面側に配置されるスイッチング素子に操作力を伝達する機能を有する。表示部２０Ｂは、前面部２０の左右方向の略中央で且つ上端部寄りに形成されており、前面部２０の前後方向に貫通して、開口部分の形状が所定の形状をなしている。表示部２０Ｂは、自身の背面側に配置される発光素子の光を通すことで、自身の開口部分の形状に応じた内容を表示する。第２孔部２０Ｃは、前面部２０の左端部寄り且つ下端部寄りに形成されており、前面部２０の前後方向に貫通している。第２孔部２０Ｃの背面側には、スピーカ９０が配置され、この第２孔部２０Ｃを通じて浴室用リモコン１の前方側にスピーカ９０の音声が出力される。
【００２０】
周壁部２２は、前面部２０の周縁部から後方に延びる形状をなしており、前後左右を囲む枠状をなしている。周壁部２２は、基板３の周縁部よりも一回り大きく形成されており、内側に基板３が納まるようになっている。周壁部２２の左右両側には、左右方向外方に張り出し、前後方向を厚さ方向とする板状の張出部２２Ａが形成されている。この張出部２２Ａには、前後方向に貫通した第１貫通孔部２２Ｂが形成されている。
【００２１】
係止部２４は、後述する枠部材７の被係止部５４に引っ掛かる部位であり、周壁部２２の上下両側に、少なくとも１対（図３に示す例では２対）設けられている。外側規制部２６は、係止部２４が被係止部５４に引っ掛かって、第１ケース部材５Ａが枠部材７の内側に収容されたときに、第１ケース部材５Ａの枠部材７に対する相対変位を規制する部位である。外側規制部２６は、周壁部２２の左右両側に、少なくとも１対（図３に示す例では２対）設けられており、枠部材７の内周面に当接することで、第１ケース部材５Ａの枠部材７に対する左右方向への相対変位を規制する機能を有する。
【００２２】
第１前方側規制部２８は、前面部２０の背面から後方に向かって突出した構成をなしており、基板３の前方側への変位を規制する機能を有する。第２前方側規制部３０は、前面部２０の背面から後方に向かって突出した構成をなしており、軸部３０Ａと、張出部３０Ｂとを有する。軸部３０Ａは、前面部２０の背面から後方に向かって突出した構成をなしており、第１前方側規制部２８の突出端部よりも後方に突出している。張出部３０Ｂは、軸部３０Ａの外周部から四方に張り出した構成をなしており、前端部が前面部２０の背面に連結されている。張出部３０Ｂの後端部は、前後方向において、軸部３０Ａの後端部よりも前方側に配置されるとともに第１前方側規制部２８の後端部と揃っている。軸部３０Ａは、基板３の第１挿通孔部１２と対応する位置に配置されており、軸部３０Ａの径は、基板３の第１挿通孔部１２の内径よりも僅かに小さい。張出部３０Ｂ全体（張出部３０Ｂを含む部分の第２前方側規制部３０）の軸部３０Ａと直交する方向と平行な方向の幅寸法は、基板３の第１挿通孔部１２の内径よりも大きい。軸部３０Ａの各々には、各々の第１挿通孔部１２が挿し通され、基板３の前面が張出部３０Ｂの後端部に当接することで、基板３の前方側への変位が規制される。第２前方側規制部３０は、前面部２０の上下方向の略中央において、前面部２０の左右両側に１つずつ設けられている。
【００２３】
内側規制部３２は、周壁部２２の内周面（図２，３に示す例では、左側の壁部の内側面）から内方（図２，３に示す例では右方）に張り出した形状をなしており、前端部が前面部２０の背面に連結され、後端部が前後方向において第１前方側規制部２８の後端部及び第２前方側規制部３０の張出部３０Ｂの後端部よりも後方まで延びている。この内側規制部３２は、周壁部２２の内側に配置された基板３の周壁部２２側（図２，３に示す例では左方）への変位を規制する機能を有する。
【００２４】
第１被取付部３４は、ねじ部材（図示省略）を用いて基板３が取り付けられる部位である。第１被取付部３４は、少なくとも１つ（図２等で示す例では２つ）設けられている。第１被取付部３４は、前面部２０の背面から後方に突出しており、前後方向を軸方向とする筒状（図２，３で示す例では円筒状）をなしている。第１被取付部３４の後方側の端面には、雌ねじ状のねじ孔部３４Ａが形成されている。第１被取付部３４は、前面部２０の左右両側に１つずつ配置されており、一方の第１被取付部３４が前面部２０の上端部寄りに配置され、他方の第１被取付部３４が前面部２０の下端部寄りに配置される。
【００２５】
スピーカ固定部３６は、前面部２０の背面側に配置されるスピーカ９０を固定する部位であり、前面部２０の背面における左側且つ下側の隅部に形成されている。
【００２６】
庇部３８は、孔部６４とハーネス部９の電線部７０との隙間からケース５内に浸入した水が、接続部１５にかかるのを防止する部位である。庇部３８は、前面部２０の背面から後方に突出した形態をなしており、基板３の第２開口部１０の開口領域における下側部分と対応する位置に配置されている。第２開口部１０の開口領域は、第２開口部１０の内壁面の内側の空間の領域であり、第２開口部１０の内壁面によって囲まれた領域である。庇部３８は、左右方向において、幅寸法が第２開口部１０の開口領域の幅寸法よりも小さく、基板３が第１ケース部材５Ａの背面側に設置されたときに第２開口部１０の開口領域内に入り込むようになっている。庇部３８は、底面部３８Ａと、側面部３８Ｂとを有する。底面部３８Ａは、上下方向を厚さ方向とする板状をなしている。側面部３８Ｂは、底面部３８Ａの左右両側から上方に立ち上がった形態をなしている。庇部３８には、底面部３８Ａの上面及び側面部３８Ｂの内側面によって、溝部３８Ｃが形成されている。溝部３８Ｃは、前後方向に沿って延び、上方及び後方に開放した形態をなしている。
【００２７】
第２ケース部材５Ｂは、ケース５の後ろ側部分を構成する部材であり、第１ケース部材５Ａとともにケース５を構成する。第２ケース部材５Ｂは、図１，２，４，５に示すように、背面部４０と、第１開口部４２Ｅと、収容溝部４４と、少なくとも１つの後方側規制部４６と、第２貫通孔部４８とを有する。
【００２８】
背面部４０は、ケース５の背面（後面）を構成する部分であり、前後方向を厚さ方向とする板状をなしており、正面視において左右方向に長い略矩形状をなしている。第１開口部４２Ｅは、背面部４０の板面方向における略中央に形成されており、背面部４０において前後に貫通している。第１開口部４２Ｅは、前後方向と直交する方向と平行な平面方向に切断した切断面の形状が円形となっている。
【００２９】
背面部４０は、前後方向を厚さ方向とする板状の背面壁部４１と、背面壁部４１を前後方向に貫通するようにして設けられる第２被取付部４２とを有する。第２被取付部４２は、前後方向を軸方向とする筒状をなしており、外周部は背面壁部４１に連結され、内側には上述した第１開口部４２Ｅが形成されている。第２被取付部４２の前端部は、背面壁部４１の前端部よりも前方に突出している。第２被取付部４２は、図５に示すように、外側筒部４２Ａと、内側筒部４２Ｂと、連結部４２Ｃと、把持部４２Ｄと、第１開口部４２Ｅと、収容凹部４２Ｆとを有する。
【００３０】
外側筒部４２Ａ及び内側筒部４２Ｂは、各々が筒状（図１，２，４に示す例では円筒状）をなしている。外側筒部４２Ａは、内側筒部４２Ｂと径方向に間隔をあけて、内側筒部４２Ｂの外側に配置されている。外側筒部４２Ａ及び内側筒部４２Ｂは、各々の前端部同士が連結部４２Ｃによって連結されている。把持部４２Ｄは、内側筒部４２Ｂの内周面から径方向内方に環状に張り出している。この把持部４２Ｄの内側に、上述した第１開口部４２Ｅが形成されている。収容凹部４２Ｆは、第１開口部４２Ｅにシール部材８が嵌め込まれたときに、後述するシール部材８のフランジ部６６が収容される部分であり、シール部材８の前面に形成されている。第２被取付部４２（外側筒部４２Ａ）の外周部の前端部には、全周に亘って面取りした面取り部４２Ｇが形成されている。
【００３１】
収容溝部４４は、図１，５に示すように、背面部４０の前面において、第１開口部４２Ｅの周囲を囲むように環状に形成されている。収容溝部４４は、第１ケース部材５Ａの周壁部２２と対応する位置に形成されており、周壁部２２が収容されるようになっている。
【００３２】
後方側規制部４６は、基板３の後方への変位を規制する部位である。後方側規制部４６は、第１開口部４２Ｅと収容溝部４４との間に配置され、背面部４０の前面から前方に向かって突出した形態をなしている。
【００３３】
第２貫通孔部４８は、背面部４０において前後に貫通した形態をなしており、収容溝部４４の外方側（図１等に示す例では収容溝部４４の左右方向外方側に１つずつ）に形成されている。第２貫通孔部４８は、第１ケース部材５Ａの第１貫通孔部２２Ｂと対応する位置に配置されている。第１ケース部材５Ａと第２ケース部材５Ｂは、第１貫通孔部２２Ｂ及び第２貫通孔部４８に挿し通されたねじ部材が壁面に形成されたねじ孔部にねじ込まれることで、互いに連結された状態で壁面に固定される。
【００３４】
枠部材７は、図１〜５に示すように、ケース５の前側の周縁部を覆う枠状の部材であり、第１枠部５０と、第２枠部５２と、被係止部５４とを有する。第１枠部５０は、正面視において左右方向に長い枠状をなし、前後方向を厚さ方向とする板状をなしている。第２枠部５２は、第１枠部５０の外側の周縁部から後方に向かって張り出した枠状をなしている。第２枠部５２は、第１ケース部材５Ａの周壁部２２よりも一回り大きく形成されており、内側に第１ケース部材５Ａが収容される。被係止部５４は、第２枠部５２の内周面において、第１ケース部材５Ａの係止部２４と対応する位置に設けられている。
【００３５】
シール部材８は、図１，２，４，５に示すように、略円盤状をなしており、第１開口部４２Ｅに嵌め込まれることで、第２ケース部材５Ｂに対し水密状態で取り付けられる。シール部材８は、筒部６０と、円盤部６２と、孔部６４と、フランジ部６６とを有する。筒部６０は、筒状（図１等に示す例では円筒状）をなしている。円盤部６２は、円盤状をなしており、筒部６０の内側に配置され、自身の外周部が筒部６０の内周部に連結されている。孔部６４は、円盤部６２（シール部材８）を前後方向に沿った方向（例えば前後方向に平行な方向）に貫通した形状をなしており、少なくとも１つ（図１，２，４で示す例では２つ）形成されている。孔部６４には、後述するハーネス部９の電線部７０が挿し通され、シール部材８に対し水密状態で取り付けられる。フランジ部６６は、筒部６０の前端側の外周部から筒部６０の径方向外方に張り出して環状をなしている。筒部６０の外周面のうちフランジ部６６の背面に連結される部分の外径は、第１開口部４２Ｅの内径よりも僅かに大きく形成されている。フランジ部６６の外径は、把持部４２Ｄの前面に引っ掛かるように、第１開口部４２Ｅの内径（筒部６０の外径）よりも大きく形成されている。
【００３６】
また、筒部６０の外周面には、後端部から前方に向かって外径が大きくなるテーパ状の拡径部６０Ａが形成されている。拡径部６０Ａ（筒部６０）の後端部の外径は、第１開口部４２Ｅの内径よりも小さく形成されており、拡径部６０Ａの前端部の外径は、第１開口部４２Ｅの内径よりも大きく形成されている。
【００３７】
ハーネス部９は、１以上（図５に示す例では２つ）の電線部７０を有しており、一端側が基板３に電気的に接続される部位である。電線部７０は、例えば、導線の周囲に樹脂被覆が配置されてなる電線を複数本備えた構成をなしている。更に、ハーネス部９は、電線部７０の一端側に設けられるとともに接続部１５に接続される被接続部７２を有している。被接続部７２は、複数の端子を備えたコネクタとして構成され、上述した接続部１５と嵌め合わされる形で連結されるようになっている。
【００３８】
次に浴室用リモコン１の組み立て方法の一例について説明する。
浴室用リモコン１の組立では、まず、図３に示すように、第１ケース部材５Ａに基板３が組み付けられる。なお、図３では、第１ケース部材５Ａに対して、基板３だけでなく枠部材７も組み付けられた状態が示されているが、後述する組み立て方法の例では、枠部材７の組み付けはケース５が壁面に固定された後に行われる。
【００３９】
基板３は、以下のようにして第１ケース部材５Ａに固定される。まず、基板３の前面を第１ケース部材５Ａの背面と前後方向に対向させた状態で、基板３を第１ケース部材５Ａの背面側の収容部に配置する。このとき、基板３の第１挿通孔部１２を、第２前方側規制部３０の軸部３０Ａに挿し通す。これにより、基板３は、前後方向と直交する方向への変位が規制される。更に、基板３は、前方側への変位が第１前方側規制部２８、第２前方側規制部３０の張出部３０Ｂ及び第１被取付部３４によって規制される。更に、基板３は、内側規制部３２によって左方への変位が規制される。更に、ねじ部材を第２挿通孔部１４に挿し通してねじ孔部３４Ａに嵌め込むことで、基板３が第１被取付部３４の背面とねじ部材の頭部との間に挟まれた状態となって、基板３が第１ケース部材５Ａに固定される。
【００４０】
このように第１ケース部材５Ａに基板３が固定された状態（ケース５に基板３が収容された状態）では、庇部３８は、前方側から第２開口部１０の開口領域に入り込んで自身の先端部（後端部）が基板３の背面よりも後方まで延び、開口領域の下端部寄りに配置される（図５参照）。更に、図３に示すように、庇部３８の左端部は接続部１５の左端部と左右方向に揃っているか或いは接続部１５の左端部よりも左方まで延びており、庇部３８の右端部は接続部１５の右端部と左右方向に揃っているか或いは接続部１５の右端部よりも右方まで延びている。換言すると、接続部１５の左端部は、庇部３８の左端部と左右方向に揃っているか或いは庇部３８の左端部よりも右方に配置されており、接続部１５の右端部は、庇部３８の右端部と左右方向に揃っているか或いは庇部３８の右端部よりも左方に配置されている。即ち、接続部１５は、平面視において庇部３８によって全体が覆われている。また、基板３は、自身の切欠部１８の切り欠かれた部分にスピーカ固定部３６が納まるので、スピーカ固定部３６と干渉しない。
【００４１】
こうして第１ケース部材５Ａに基板３を固定した後、第２ケース部材５Ｂを第１ケース部材５Ａに組み付ける。なお、シール部材８は、第２ケース部材５Ｂを第１ケース部材５Ａに組み付ける前の段階で、第２ケース部材５Ｂの第１開口部４２Ｅ内に取り付けておくことは好ましいが、第２ケース部材５Ｂを第１ケース部材５Ａに組み付けた後に取り付けてもよい。シール部材８は、自身のフランジ部６６が前方側に配置された姿勢で、第２ケース部材５Ｂの前方側から後方へ移動して、筒部６０が第１開口部４２Ｅに嵌め込まれる。そして、フランジ部６６が収容凹部４２Ｆの奥端面（把持部４２Ｄ）に当接すると、シール部材８の後方への移動が規制される。これにより、シール部材８は、第２ケース部材５Ｂに取り付けられた状態となる。
【００４２】
第２ケース部材５Ｂを第１ケース部材５Ａに組み付ける工程では、第２ケース部材５Ｂの収容溝部４４内に、第１ケース部材５Ａの周壁部２２を収容させる。また、収容溝部４４内には、環状の第２シール部材９２が収容溝部４４の全周に亘って入り込み、収容溝部４４（第２ケース部材５Ｂ）と周壁部２２（第１ケース部材５Ａ）との間に介在する。この状態において、周壁部２２（第１ケース部材５Ａ）を第２ケース部材５Ｂ側に押し付けながら、周壁部２２の外周面を全周に亘って第２ケース部材５Ｂの前面に接着する。接着の方法は限定されないが、例えば、熱溶着による溶着等が望ましい。これにより、第１ケース部材５Ａと第２ケース部材５Ｂは、周壁部２２と収容溝部４４との間が水密となった状態で連結され、ケース５が完成する。また、周壁部２２が収容溝部４４内に入り込んだ状態では、第１ケース部材５Ａの第１貫通孔部２２Ｂと第２ケース部材５Ｂの第２貫通孔部４８とが前後方向に連通した状態となる。この状態において、互いに連通する第１貫通孔部２２Ｂ及び第２貫通孔部４８に対して前方側からねじ部材を挿し通して、壁面（取付面）に予め開けておいたねじ孔部にねじ込む。これにより、ケース５が壁面（取付面）に固定された状態となる。
【００４３】
このように壁面（取付面）に固定されたケース５の第１ケース部材５Ａに対して、枠部材７が組み付けられる。より具体的には、枠部材７の背面を第１ケース部材５Ａの前面に対して前後方向に対向させた状態から、枠部材７を第１ケース部材５Ａ側に押し込むと、枠部材７の被係止部５４が第１ケース部材５Ａの係止部２４に押されて弾性変形し、弾性力によって元の形状に復帰した被係止部５４が係止部２４に引っ掛かる（図３参照）。これにより、枠部材７が第１ケース部材５Ａ（ケース５）に組み付けられた状態となる。枠部材７が第１ケース部材５Ａ（ケース５）に組み付けられた状態では、第１貫通孔部２２Ｂ及び第２貫通孔部４８に挿し通されるねじ部材（図示省略）が枠部材７によって覆われる。更に、枠部材７が第１ケース部材５Ａ（ケース５）に組み付けられた状態では、枠部材７の内周面が第１ケース部材５Ａの外側規制部２６に当接することで、枠部材７が第１ケース部材５Ａ（ケース５）に対して左右方向に相対変位することが規制される（図３参照）。
【００４４】
このようにして、基板３を収容したケース５に枠部材７が組み付けられてなる構造体が完成し、この構造体が壁面に固定された状態となる。このようにケース５内に基板３が収容された状態では、図５に示すように、基板３の背面（裏面）がケース５の背面部４０における表面（前面）と前後方向に対向し、背面部４０の第１開口部４２Ｅに嵌め込まれたシール部材８の前側に、第２開口部１０の開口領域（具体的には、第２開口部１０の内壁面の内側の空間）が位置する。より具体的には、図４、図５に示すように、孔部６４の前方に第２開口部１０の開口領域が位置する。換言すると、背面視（正面視）において、孔部６４が、第２開口部１０の開口領域内に納まるように配置される（図４参照）。また、接続部１５は、基板３の前面において孔部６４の下側の位置に配置される。庇部３８は、孔部６４よりも下方側且つ接続部１５よりも上方側において接続部１５の上方を覆うように配置される。具体的には、庇部３８の真下に接続部１５の少なくとも一部が位置しており、より詳しくは、庇部３８の真下に接続部１５の全体が位置し、接続部１５は、平面視において全体が庇部３８によって覆われる構成となっている。また、第２被取付部４２の前端部は、庇部３８の後端部よりも後方側に位置し、第２被取付部４２の下端部は、庇部３８の底面部３８Ａの上端部よりも上方側に位置する。これにより、第２被取付部４２と庇部３８の底面部３８Ａとの間には、電線部７０が通過可能な隙間が形成されている。更に、第２被取付部４２の外周部の前端部には面取り部４２Ｇが形成されているので、第２被取付部４２と庇部３８の底面部３８Ａとの隙間が拡張されている。
【００４５】
手順が前後するが、第１ケース部材５Ａと第２ケース部材５Ｂとが互いに連結される前の段階で、ハーネス部９がシール部材８及び基板３に対して以下のように取り付けられる。
【００４６】
ハーネス部９は、シール部材８が第２ケース部材５Ｂに取り付けられる前、又は取り付けられた後に、自身の電線部７０がケース５の外側から内側に通じる孔部６４に挿し通されることで、シール部材８に取り付けられる。そして、ハーネス部９は、電線部７０の一部が孔部６４から第２開口部１０内に入り込むように配置される。また、ハーネス部９の被接続部７２は、接続部１５に接続される。即ち、電線部７０は、図５に示すように、第２開口部１０内に入り込む第１電線部７４と、第１電線部７４と被接続部７２との間に配置される第２電線部７６とを具備する。
【００４７】
更に、ハーネス部９は、第２開口部１０を通じて基板３の後ろ側から前側に進入して上方から接続部１５に接続されるのではなく、一旦第２開口部１０内に入り込んだ後、第２被取付部４２と庇部３８の底面部３８Ａとの隙間を通って基板３の後方側に進入し、基板３の下側を迂回して基板３の前方側に回り込み、下方から接続部１５に接続されるようになっている。即ち、第２電線部７６は、後方側配置部７８と、折り返し部８０と、前方側配置部８２とを含んでいる。
【００４８】
後方側配置部７８は、第１電線部７４から続くとともに第２開口部１０の下方側において基板３と背面部４０との間を通るように配置される部分である。折り返し部８０は、後方側配置部７８から続くとともに基板３の下方側端部（凹部１６が形成された部分においては凹部１６の上縁部）の下側で折り返されるように配置される部分である。前方側配置部８２は、折り返し部８０から続くとともに基板３の前側において折り返し部８０と被接続部７２との間に配置される部分である。なお、折り返し部８０は、凹部１６内に入り込んでもよいし、凹部１６に入り込まずに、凹部１６の下方側を通過するようにしてもよい。図５の例では、折り返し部８０の一部が凹部１６内に入り込んでおり、ハーネス部９の下端が基板３の下端よりも上方に位置している。具体的には、ハーネス部９の下端（電線部７０の下端）が上下方向において凹部１６の下端と上端との間の範囲に位置し、凹部１６が形成された基板３の下端部（下縁部）よりも上位置に配置されている。このような構成により、電線部７０が下側に嵩張りすぎることを抑えつつ、電線部７０の左右のずれを防いでいる。
【００４９】
この構成では、ハーネス部９の電線部７０が、孔部６４を通じてケース５内に入り込んだ後、下方に進入している。このため、仮にシール部材８と電線部７０との間に存在する隙間を介してケース５内に水が浸入したとしても、電線部７０を通って下方に流れやすい。しかも、電線部７０は、第２開口部１０内に入り込んだ後、第２被取付部４２と庇部３８の底面部３８Ａとの隙間を通って基板３の後方側に進入し、基板３の後方側から下方側に進入している。このため、ケース５内に浸入した水は、電線部７０を伝って、基板３の後方側から下方側に流れやすくなっている。しかも、電線部７０は、基板３の下方側で折り返して基板３の前方側に回り込み、上方側に進入している。このため、電線部７０を伝って下方側に流れた水は、折り返し部８０まで到達したところで滞留するか、折り返し部８０から落下しやすくなっている。つまり、孔部６４付近から電線部７０を伝って流れようとする水が基板３の前面側に流れ込みにくくなるため、この水が基板３の前面に実装される部品に大きな影響を及ぼすことを防ぐことができる。
【００５０】
更に、孔部６４の下方側で且つ接続部１５の上方側には、接続部１５の上方を覆う庇部３８が設けられている。この庇部３８は、前面部２０の背面から後方側に突出して、第２開口部１０の開口領域内まで入り込んで、基板３の背面よりも後方側まで延びている。更に、庇部３８の左端部は接続部１５の左端部と左右方向に揃っているか或いは接続部１５の左端部よりも左方まで延びており、庇部３８の右端部は接続部１５の右端部と左右方向に揃っているか或いは接続部１５の右端部よりも右方まで延びている。即ち、接続部１５は、平面視において庇部３８によって全体が覆われる。このため、万が一、何らかの理由によって接続部１５の上方側から接続部１５側へと水が流下又は落下したとしても、その水が接続部１５にかかることを庇部３８によって防ぐことができる。しかも、庇部３８の上側には、底面部３８Ａ及び側面部３８Ｂによって上方及び後方に開放した溝部３８Ｃが構成されているので、庇部３８の溝部３８Ｃ内に落下した水は、溝部３８Ｃの後端部から基板３の後方側に流れる。このため、庇部３８の上面に落下した水が、基板３の前方側に零れることを防ぐことができる。
【００５１】
次に、本構成の効果を例示する。
本構成の浴室用リモコン１は、浴室に設置されるリモコンであって、基板３と、ケース５と、シール部材８と、ハーネス部９とを備える。ケース５は、基板３の背面と前後方向に対向する背面部４０を有するとともに、背面部４０において前後に貫通した第１開口部４２Ｅが形成されてなる。シール部材８は、第１開口部４２Ｅに嵌め込まれ、ケース５の外側から内側に通じる孔部６４を有する。ハーネス部９は、孔部６４に挿し通される１以上の電線部７０を有し、一端側が基板３に電気的に接続される。基板３には、前後に貫通した第２開口部１０が形成される。シール部材８の前側に第２開口部１０の開口領域が位置し、電線部７０の一部が孔部６４から第２開口部１０内に入り込むように配置される。
【００５２】
本構成の浴室用リモコン１は、前後に貫通した第１開口部４２Ｅがケース５の背面部４０に形成されており、第１開口部４２Ｅにシール部材８が嵌め込まれる。シール部材８は、ケース５の外側から内側に通じるように貫通する孔部６４を有しており、この孔部６４にハーネス部９の電線部７０が挿し通される。このように構成することで、ケース５の内外に跨るようにハーネス部９を配置し得る構成を、防水性を高めつつ実現できる。更に、基板３には、前後に貫通した第２開口部１０が形成されており、シール部材８の前側に第２開口部１０の開口領域が位置し、電線部７０の一部が孔部６４から第２開口部１０に入り込むように配置される。このようにシール部材８の前側に開口領域が存在すれば、電線部７０において孔部６４から前方に延びる部位（孔部６４近傍の部位）の一部又は全部を基板３と背面部４０との間に挟み込ませることなく配置することができる。従って、この部位の一部又は全部を基板３と干渉させずに配置することができ、その分、基板３と背面部４０とを近づけて配置することができる。ゆえに、装置全体の薄型化を図りやすくなる。しかも、上記部位（電線部７０において孔部６４から前方に延びる部位）の一部又は全部が基板３と背面部４０との間に挟まれにくくなるため、当該部位の劣化や損傷を抑制することができる。
【００５３】
本構成の浴室用リモコン１は、基板３の前面に、ハーネス部９が接続される接続部１５が設けられている。ハーネス部９は、接続部１５に接続される被接続部７２を有しており、この被接続部７２は、電線部７０の一端側に設けられている。このように、基板３上で嵩張る懸念のある接続部１５及び被接続部７２を基板３の前面側に配置した上で、第２開口部１０及びこれに関連した上記特徴を採用すれば、基板３と背面部４０とをより一層近づけて配置することができ、装置全体の薄型化をより一層図りやすくなる。
【００５４】
本構成の浴室用リモコン１は、基板３の前面において孔部６４の下側の位置に接続部１５が設けられていてもよい。電線部７０は、被接続部７２から下方に延びるとともに基板３の下方側端部の下側で折り返され、基板３と背面部４０との間において基板３の下方側端部の下側から第２開口部１０側に延びて一部が第２開口部１０に入り込むように配置されている。
この構成では、仮にシール部材８と電線部７０との間に存在する隙間を介してケース５内に水が浸入し、その水は、基板３の裏面側（基板３と背面部４０との間）を通るように電線部７０を伝って流れやすく、その後、電線部７０が折り返された部分（基板３の下方側端部の下側）の付近から落下しやすくなる。つまり、孔部６４付近から電線部７０を伝って流れようとする水が基板３の前面側に流れ込みにくくなるため、この水が基板３の前面に実装される部品に大きな影響を及ぼすことを防ぐことができる。
【００５５】
具体的には、電線部７０は、第２開口部１０内に入り込む第１電線部７４と、第１電線部７４と被接続部７２との間に配置される第２電線部７６と、を具備する。第２電線部７６は、後方側配置部７８と、折り返し部８０と、前方側配置部８２とを含んでいる。後方側配置部７８は、第１電線部７４から続くとともに第２開口部１０の下方側において基板３と背面部４０との間を通るように配置される部分である。折り返し部８０は、後方側配置部７８から続くとともに基板３の下方側端部の下側で折り返されるように配置される部分である。前方側配置部８２は、折り返し部８０から続くとともに基板３の前側において折り返し部８０と被接続部７２との間に配置される部分である。
【００５６】
更に、浴室用リモコン１は、孔部６４の下方側且つ接続部１５の上方側において接続部１５の上方を覆うように配置される庇部３８を備える。
この構成によれば、万が一、何らかの理由によって庇部３８の上方側から（例えば、孔部６４付近から）接続部１５側へと水が流下又は落下したとしても、その水が接続部１５にかかることを庇部３８によって防ぐことができる。
【００５７】
＜他の実施例＞
本発明は上記記述及び図面によって説明した実施例に限定されるものではなく、例えば次のような例も本発明の技術的範囲に含まれる。
【００５８】
上述した実施例では、庇部３８を設けたが、庇部３８はなくてもよい。
【００５９】
上述した実施例では、ハーネス部９を基板３の下側を迂回させるようにしたが、第２開口部１０を介して基板３の前方に入り込んだハーネス部９の被接続部７２をそのまま接続部１５に接続するようにしてもよい。
【００６０】
上述した実施例では、浴室用リモコン１が壁面に固定されるようにしたが、浴室に設置されていればよく、壁面に固定されていなくてもよい。また、壁面に固定される場合についても、壁面に直接固定されるのではなく、別の部材（例えば取付部材）を介して間接的に固定されるようにしてもよい。
【符号の説明】
【００６１】
１…浴室用リモコン
３…基板
５…ケース
８…シール部材
９…ハーネス部
１０…第２開口部
１５…接続部
４０…背面部
４２Ｅ…第１開口部
６４…孔部
７０…電線部
７２…被接続部
【図１】
2020092345.tif 000003
【図２】
2020092345.tif 000004
【図３】
2020092345.tif 000005
【図４】
2020092345.tif 000006
【図５】
2020092345.tif 000007